(57)【要約】【課題】、複数枚のシート体を用いることによって奥行感を呈するようにしたインテリア用品を提供する。【解決手段】第１シート体１と、第１シート体１の背面に位置する第２シート体２と、を備え、第１シート体１は、面部１０に第１の図柄１１を備えた半透明の可撓性シートであり、第２シート体２は、面部２０に第１の図柄１１と同一の図柄である第２の図柄２１を備えたシートであり、第１シート体１の面部１０と第２シート体２の面部２０は少なくとも部分的に離間しており、第２の図柄２１は第１の図柄１１の背面に一致して少なくとも部分的に離間して位置しており、第１シート体１の面部１０を通して第２の図柄２１が透けて視認可能となっている。【選択図】図１
2015110284.tif 000002
【特許請求の範囲】
【請求項１】
第１シート体と、第１シート体の背面に位置する第２シート体と、を備え、
前記第１シート体は、面部に第１の図柄を備えた半透明の可撓性シートであり、
前記第２シート体は、面部に前記第１の図柄と同一の図柄である第２の図柄を備えたシートであり、
前記第１シート体の面部と前記第２シート体の面部は少なくとも部分的に離間しており、前記第２の図柄は前記第１の図柄の背面に一致して少なくとも部分的に離間して位置しており、前記第１シート体の面部を透して前記第２の図柄が視認可能となっている、
奥行感を呈するシート状インテリア用品。
【請求項２】
さらに、前記第２シート体の背面に位置する第３シート体を備え、
前記第３シート体は、面部に第１の図柄及び第２の図柄と同一の第３の図柄を備えたシートであり、
前記第２シート体は半透明の可撓性シートであり、
前記第２シート体の面部と前記第３シート体の面部は少なくとも部分的に離間しており、前記第３の図柄は前記第２の図柄の背面に一致して少なくとも部分的に離間して位置しており、前記第１シート体の面部及び前記第２シート体の面部を透して前記第３の図柄が視認可能となっている、
請求項１に記載のシート状インテリア用品。
【請求項３】
さらに、前記第３シート体の背面に位置する第４シート体を備え、
前記第４シート体は、面部に第１の図柄、第２の図柄及び第３の図柄と同一の第４の図柄を備えたシートであり、
前記第３シート体は半透明の可撓性シートであり、
前記第３シート体の面部と前記第４シート体の面部は少なくとも部分的に離間しており、前記第４の図柄は前記第３の図柄の背面に一致して少なくとも部分的に離間して位置しており、前記第１シート体の面部、前記第２シート体の面部、及び前記第３シート体の面部を透して前記第４の図柄が視認可能となっている、
請求項２に記載のシート状インテリア用品。
【請求項４】
前後方向に隣接する２枚のシート体の上端部位にはスペーサが設けてある、請求項１〜３いずれか１項に記載のシート状インテリア用品。
【発明の詳細な説明】
【技術分野】
【０００１】
本発明は、奥行感を呈するシート状インテリア用品に関するものである。シート状のインテリア用品としては、タペストリー、壁掛け、壁紙、間仕切り（パーテーション）、カーテン、のれん、絵のぼり、旗等を例示することができる。
【背景技術】
【０００２】
シート状のインテリア用品として、タペストリー、壁掛け、カーテン、のれん等が知られている。これらのシート状のインテリア用品は本来的に平面的であることから、奥行感や立体感を呈することはできなかった。
【０００３】
複数枚の生地を重ねて用いるアイデアは幾つか存在する。特許文献１〜３には、モアレ模様を発現する重ねモアレ布帛が開示されている。これらに開示されたモアレ布帛は、規則的に並んだ模様を有する表生地と下生地を重ね合わせることで得られるモアレを利用するものである。モアレとは、「点または線が幾何学的に規則正しく分布したものを重ね合わせた時に生ずる縞状の斑紋。」である（広辞苑）。
【０００４】
特許文献４〜６には、透視可能な布帛と、下地布帛と、を重ね合わせて接着してなる二重布帛が開示されている。これらに開示された二重布帛は、外観を美麗とするものではあるが、奥行感や立体感を与えるものではない。
【特許文献１】特開昭６４−２０３８３号
【特許文献２】特開平９−３１６７７２号
【特許文献３】特開平１０−２３７７４８号
【特許文献４】実公昭３３−８５９１号
【特許文献５】実公昭３３−８５９２号
【特許文献６】実公昭３３−８５９５号
【発明の開示】
【発明が解決しようとする課題】
【０００５】
本発明は、上記従来のアイデアとは全く異なる着想に基づいて、複数枚のシート体を用いることによって奥行感を呈するようにしたインテリア用品を提供することを目的とする。
【課題を解決するための手段】
【０００６】
本発明が採用した技術手段は、
第１シート体と、第１シート体の背面に位置する第２シート体と、を備え、
前記第１シート体は、面部に第１の図柄を備えた半透明の可撓性シートであり、
前記第２シート体は、面部に前記第１の図柄と同一の図柄である第２の図柄を備えたシートであり、
前記第１シート体の面部と前記第２シート体の面部は少なくとも部分的に離間しており、前記第２の図柄は前記第１の図柄の背面に一致して少なくとも部分的に離間して位置しており、前記第１シート体の面部を通して前記第２の図柄が透けて視認可能となっている、
奥行感を呈するシート状インテリア用品、である。
【０００７】
１つの態様では、前記シート状インテリア用品は、
さらに、前記第２シート体の背面に位置する第３シート体を備え、
前記第３シート体は、面部に第１の図柄及び第２の図柄と同一の第３の図柄を備えたシートであり、
前記第２シート体は半透明の可撓性シートであり、
前記第２シート体の面部と前記第３シート体の面部は少なくとも部分的に離間しており、前記第３の図柄は前記第２の図柄の背面に一致して少なくとも部分的に離間して位置しており、前記第１シート体の面部及び前記第２シート体の面部を通して前記第３の図柄が透けて視認可能となっている。
【０００８】
１つの態様では、前記シート状インテリア用品は、
さらに、前記第３シート体の背面に位置する第４シート体を備え、
前記第４シート体は、面部に第１の図柄、第２の図柄及び第３の図柄と同一の第４の図柄を備えたシートであり、
前記第３シート体は半透明の可撓性シートであり、
前記第３シート体の面部と前記第４シート体の面部は少なくとも部分的に離間しており、前記第４の図柄は前記第３の図柄の背面に一致して少なくとも部分的に離間して位置しており、前記第１シート体の面部、前記第２シート体の面部、及び前記第３シート体の面部を通して前記第４の図柄が視認可能となっている。
【０００９】
本明細書において、同一の図柄とは、実質的に同寸・実質的に同一のデザイン（色彩、形状）からなる図柄を言う。寸法、形状、色彩における僅かな違いは同一性の範囲内にあるものとする。
１つの態様では、各シート体も同寸・同形である。
１つの態様では、各シート体の面部の下地の色は同色あるいは同色系である。
１つの態様では、複数枚の半透明のシート体を備えている場合に、少なくとも半透明のシート体の面部の下地の色が同色あるいは同色系である。最背面のシート体の下地の色は同一でも異なっていてもよい。
【００１０】
１つの態様では、シート体の面部同士は接合されていない。
１つの態様では、隣接するシート体において、面部の面積の９０％以上（１００％を含む）が離間している。
すなわち、隣接するシート体の面部は、大部分ないし全部が非接触状態にあり、直接接触して重なっている部分は存在していたとしてもごく僅かである。
隣接する２枚のシート体において、前面側に位置するシート体の面部の大部分あるいは全部は、背面側に位置するシート体の面部から浮いた状態にある。
【００１１】
１つの態様では、最背面側のシート、例えば、２重シートにおいては第２シート体、３重シートにおいては第３シート体は可撓性シートである。
１つの態様では、最背面側のシート、例えば、２重シートにおいては第２シート体、３重シートにおいては第３シート体が壁体に面接触した状態で固定されていてもよい。
１つの態様では、最背面側のシート、例えば、２重シートにおいては第２シート体、３重シートにおいては第３シート体が半透明のシートであり、当該最背面側のシートの背面に壁体が位置しており、当該壁体に図柄（１つの態様では、シートの面部上の図柄と同一の図柄）が形成されていてもよい。
シート状インテリア用品は、２重シート構造、３重シート構造、４重シート構造に限定されるものではなく、例えば、５重シート構造であってもよい。
【００１２】
１つの態様では、シート体は上端側において吊持された吊持体であり、垂れ下がり状の面部を備えている。
１つの態様では、シート体の上端は互いに縫着されている。
１つの態様では、シート体の上端は水平状に延びる長尺部材から吊持されている。
１つの態様では、シート体の面部同士の間隔を保持するスペーサが設けてある。
１つの態様では、スペーサは、シート体面部の上端に位置して設けられるが、他の箇所に設けてもよい。
１つの態様では、シート体の面部同士の間隔は可変である。例えば、シート体の上端部においてスペーサを交換可能としておき、異なる寸法（厚さや径）を備えたスペーサを複数種類用意しておき、スペーサの選択によってシート体の面部同士の間隔を変える。あるいは、各シート体の上端を着脱可能に吊持する吊持要素（例えば、ポール、レールのような長尺部材）を奥行方向に複数本並設しておき、吊持要素の選択によってシート体の面部同士の間隔を変える。
シート体の吊持手段ないし吊り下げ手段は、図示の態様に限定されるものではなく、シート体が上端において支持されていればよく、シート上端の支持手段は、長尺状の支持部材を挿通させる袋状部や挿通孔、フックによる係止、鋲等の止着手段による止着、クリップ等の挟持手段による挟持、その他従来のカーテン、のれん等で用いられているいかなる手段を用いることができる。
シート体の面積が大きい場合には、シート体の下端に錘を設けてもよい。
【発明の効果】
【００１３】
本発明によれば、同一の図柄が奥行方向に距離を存して重なって配置されており、１つあるいは複数のシート体が面方向に少しずれたり、１つあるいは複数のシート体が皺や癖が付いたり、撓んだりしていたり、看者の見る角度によって（例えば、斜め正面から最前のシート体を見たような場合）、図柄の輪郭や模様のずれが視認されることで、奥行感、遠近感、立体感を演出することができ、また、風合い・趣のある、幻想的な外観が得られる。
一方、同一の図柄が奥行方向に距離を存して重なって配置されているので、図柄の輪郭や模様のずれが視認されたとしても、図柄の外観のまとまりが維持され、美観が損なわれることはない。
【図面の簡単な説明】
【００１４】
【図１】本発明の概念を説明する図である。
【図２】第１シート体の正面図である。
【図３】第２シート体の正面図である。
【図４】第３シート体の正面図である。
【図５】（Ａ）は３層構造のシート状インテリア用品の側面図であり、３枚のシート体の上端は縫着されている。（Ｂ）は３層構造のシート状インテリア用品の側面図であり、３枚のシート体の上端にはシート体の幅方向に延びる袋状部が形成されており、袋状部には断面視円形の長尺部材が挿通されている。
【図６】（Ａ）は２層構造のシート状インテリア用品の側面図であり、２枚のシート体の上端にはパイプ状のスペーサが設けてある。（Ｂ）２層構造のシート状インテリア用品の上端部位の部分側面図であり、上端部に形成された袋状部に吊持要素が挿通されている。（Ｃ）は３層構造のシート状インテリア用品の上端部位の部分側面図であり、３枚のシート体の上端にはパイプ状のスペーサが設けてある。（Ｄ）はシート状インテリア用品の上方部位かつ右側部位を示している。
【図７】（Ａ）は２層構造のシート状インテリア用品の側面図であり、２枚のシート体の上端には板状のスペーサが設けてある。（Ｂ）は交換用の板状のスペーサ示している。（Ｃ）は３層構造のシート状インテリア用品の側面図であり、３枚のシート体の上端には板状のスペーサが設けてある。
【図８】実施例に係る第１シート体の正面図である。
【図９】実施例に係る第２シート体の正面図である。
【図１０】実施例に係る第３シート体の正面図である。
【発明を実施するための形態】
【００１５】
本発明に係る実施形態について、図面を参照しつつ説明する。図１を参照しつつ本発明の概念について説明する。本発明では、同一の図柄を備えた複数枚のシート体を用意し、これらのシート体を、面部同士を互いに離間対向させて配置してなる。少なくとも最背面に位置するシート体以外のシート体は可撓性の半透明シートであり、半透明シートの面部を透して２枚目以降のシート体の図柄が観察可能となっている。透明度の高い生地を用いたシート体を、前後方向に２重、３重に配置することで、立体感や遠近感を演出する。
【００１６】
図１左図は、２層構造のシート状インテリア用品に係り、具体的には、
第１シート体と、第１シート体の背面に位置する第２シート体と、を備え、
前記第１シート体は、面部に第１の図柄を備えた半透明の可撓性シートであり、
前記第２シート体は、面部に前記第１の図柄と同一の図柄である第２の図柄を備えたシートであり、
前記第１シート体の面部と前記第２シート体の面部は少なくとも部分的に離間しており、前記第２の図柄は前記第１の図柄の背面に一致して少なくとも部分的に離間して位置しており、前記第１シート体の面部を通して前記第２の図柄が透けて視認可能となっている。
【００１７】
図１中図は、３層構造のシート状インテリア用品に係り、具体的には、
第１シート体と、第１シート体の背面に位置する第２シート体と、前記第２シート体の背面に位置する第３シート体を備え、
前記第１シート体は、面部に第１の図柄を備えた半透明の可撓性シートであり、
前記第２シート体は、面部に前記第１の図柄と同一の図柄である第２の図柄を備えた半透明の可撓性シートであり、
前記第３シート体は、面部に第１の図柄及び第２の図柄と同一の第３の図柄を備えたシートであり、
前記第１シート体の面部と前記第２シート体の面部は少なくとも部分的に離間しており、前記第２の図柄は前記第１の図柄の背面に一致して少なくとも部分的に離間して位置しており、前記第１シート体の面部を透して前記第２の図柄が視認可能となっており、
前記第２シート体の面部と前記第３シート体の面部は少なくとも部分的に離間しており、前記第３の図柄は前記第２の図柄の背面に一致して少なくとも部分的に離間して位置しており、前記第１シート体の面部及び前記第２シート体の面部を透して前記第３の図柄が視認可能となっている。
【００１８】
図１右図は、４層構造のシート状インテリア用品に係り、具体的には、
第１シート体と、第１シート体の背面に位置する第２シート体と、前記第２シート体の背面に位置する第３シート体と、前記第３シート体の背面に位置する第４シート体を備え、
前記第１シート体は、面部に第１の図柄を備えた半透明の可撓性シートであり、
前記第２シート体は、面部に前記第１の図柄と同一の図柄である第２の図柄を備えた半透明の可撓性シートであり、
前記第３シート体は、面部に第１の図柄及び第２の図柄と同一の第３の図柄を備えた半透明の可撓性シートであり、
前記第４シート体は、面部に第１の図柄、第２の図柄及び第３の図柄と同一の第４の図柄を備えたシートであり、
前記第１シート体の面部と前記第２シート体の面部は少なくとも部分的に離間しており、前記第２の図柄は前記第１の図柄の背面に一致して少なくとも部分的に離間して位置しており、前記第１シート体の面部を透して前記第２の図柄が視認可能となっており、
前記第２シート体の面部と前記第３シート体の面部は少なくとも部分的に離間しており、前記第３の図柄は前記第２の図柄の背面に一致して少なくとも部分的に離間して位置しており、前記第１シート体の面部及び前記第２シート体の面部を透して前記第３の図柄が視認可能となっている。
前記第３シート体の面部と前記第４シート体の面部は少なくとも部分的に離間しており、前記第４の図柄は前記第３の図柄の背面に一致して少なくとも部分的に離間して位置しており、前記第１シート体の面部、前記第２シート体の面部、及び前記第３シート体の面部を透して前記第４の図柄が視認可能となっている。
【００１９】
３層構造のシート状インテリア用品についてさらに説明する。図２〜図４、図５に示すように、シート状のインテリア用品は、第１シート体１と、第１シート体１の背面に位置する第２シート体２と、第２シート体２の背面に位置する第３シート体３を備えている。図２に示すように、第１シート体１は、面部１０に第１の図柄１１を備えた半透明の可撓性シートである。図３に示すように、第２シート体２は、面部２０に第１の図柄１１と同一の図柄である第２の図柄２１を備えた半透明の可撓性シートである。図４に示すように、第３シート体３は、面部３０に第１の図柄１１及び第２の図柄２１と同一の第３の図柄３１を備えた可撓性シートである。
【００２０】
第１シート体１の面部１０と第２シート体２の面部２０は離間しており、第２の図柄２１は第１の図柄１１の背面に一致して離間して位置しており、第１シート体１の面部１０を透して第２の図柄２１が透けて視認可能となっている。第２シート体２の面部２０と第３シート体３の面部３０は離間しており、第３の図柄３１は第２の図柄２１の背面に一致して離間して位置しており、第１シート体１の面部１０及び第２シート体２の面部２０を透して第３の図柄３１が透けて視認可能となっている。
【００２１】
第１シート体１、第２シート体２、第３シート体３は、いずれも縦長方形状の同形・同寸法の布製のシート体であり、図５に係る実施例では、上端縁同士を重ね合わせて縫着することで一体化されている。上端縁同士を直接重ね合わせて縫着した場合であっても、面部１０、面部２０、面部３０は適度に皺や癖が付いたり、撓んだりしているので、垂れ下がる面部１０、面部２０、面部３０は面同士が密着するわけではなく、第２シート体２の面部２０と第３シート体３の面部３０は少なくとも部分的に離間している。
【００２２】
すなわち、隣接するシート体の面部は、大部分ないし全部が非接触状態にあり、直接接触して重なっている部分は存在していたとしてもごく僅かである。隣接する２枚のシート体において、前面側に位置するシート体の面部の大部分あるいは全部は、背面側に位置するシート体の面部から浮いた状態にある。１つの態様では、前後方向に隣接する２枚のシート体（同面積の面部を備える）において、面部の面積の９０％以上（１００％を含む）が離間している。
【００２３】
第１シート体１、第２シート体２、第３シート３は、上端部においてのみ拘束されており、面部１０、面部２０、面部３０同士は接合されていない。面部１０、面部２０、面部３０は互いに接合されることなく自由に垂れ下がっており、特に面部１０、面部２０についた皺や癖、特に、面部１０、面部２０の撓み、看者の見る角度、本インテリア用品が設置された空間における気流や物理的接触（例えば、手で触る）による面部１０、面部２０の揺らぎ、等によって、面部１０を透しての図柄１１、２１、３１の見え方が変化する。
【００２４】
図６、図７に示すように、上端部同士をスペーサを挟んで重ね合わせて縫着等することで、隣接する面部同士の間隔を確保するようにしてもよい。図６（Ａ）では、第１シート体１と第２シート体２の上端にパイプ状のスペーサＳを設けることで、第１シート体１の面部１０と第２シート体２の面部２０の間隔を保持するようにしている。
【００２５】
図６（Ｂ）では、第１シート体１と第２シート体２の上端にシート体の幅方向に延びる横長状の袋状部４を形成し、袋状部４に吊持要素（棒状部材や伸縮可能なテンションポール等）５を挿入させている。シート状インテリア用品は、吊持要素５によって吊持される。
【００２６】
図６（Ｃ）では、第１シート体１、第２シート体２、第３シート体３の上端にパイプ状のスペーサＳを奥行方向に並設することで、第１シート体１の面部１０と第２シート体２の面部２０の間隔、第２シート体２の面部２０と第３シート体３の面部３０の間隔、をそれぞれ保持するようにしている。
【００２７】
図６（Ｄ）は、シート状インテリア用品の上方部位かつ右側部位を示している。パイプ状のスペーサＳ及び吊持要素５の長さ方向両端部位は、それぞれ、シート体の幅方向両端よりも突出して延出部が形成されており、延出部同士を連結要素（輪ゴムヤ紐状部材）６で連結することで、スペーサＳを吊持要素５に支持させる。スペーサＳは取り外し可能であるため、スペーサＳとして径の異なるパイプを複数種類用意しておけば、隣接するシート間の間隔を調整することができる。
【００２８】
図７（Ａ）では、第１シート体１と第２シート体２の上端に板状のスペーサＳ１を設けることで、第１シート体１の面部１０と第２シート体２の面部２０の間隔を保持するようにしている。スペーサＳ１の取付手段は限定されないが、例えば、シート状インテリア用品の上端部において、第１シート体１の前側、第２シート体２の後側にそれぞれ長尺状のバー７を当てて前後から第１シート体１、スペーサＳ１、第２シート体２を挟み込み、断面視コ字状の止め具８を嵌脱可能に嵌合させることで一体化する。
【００２９】
図７（Ｂ）は、異なる厚さを備えた板状のスペーサＳ２、Ｓ３を例示する。板状のスペーサＳ１、Ｓ２、Ｓ３のいずれかを選択することで、隣接するシート間の間隔を調整することができる。図７（Ｃ）では、第１シート体１、第２シート体２、第３シート体３の上端に板状のスペーサＳ２を奥行方向に並設することで、第１シート体１の面部１０と第２シート体２の面部２０の間隔、第２シート体２の面部２０と第３シート体３の面部３０の間隔、をそれぞれ保持するようにしている。
【００３０】
典型的な実施形態では、シート状インテリア用品は上端から吊持されており、各シート体の面部は前後方向に離間して垂れ下がっている。吊持手段としては、従来のカーテン、のれん等で用いられている手段を用いることができる。例えば、上述のように、シートインテリア用品の上端に形成した袋状部に水平状の長尺部材（棒状部材や伸縮可能なテンションポール等）からなる吊持要素５を挿通させて、吊持要素５を室内空間の所定部位に支持させればよい。この時、スペーサＳ、Ｓ１、Ｓ２、Ｓ３を用いることで、隣接するシート体同士を離間させることができる。あるいは、前後方向に複数のレール部材を並設し、各レール部材に各シート体の上端部を連結させてもよい。
【００３１】
シート状インテリア用品の各シート体の材質は、少なくとも、最背面に位置するシート体以外のシート体が当該シート体の面部を透して背面側に位置するシート体の面部の図柄を観察可能であるように半透明ないし半透過性であれば、限定されない。典型的には、シート体は繊維製シート（布ないし生地）である。半透明のシート体は例えば平織りのポリエステルから形成されるが、具体的な繊維の種類や織り方は限定されない。半透明であれば不織布であってもよい。また、典型的には、半透明のシート体は、最背面に位置するシート体に比べて薄布である。半透明ないし半透過性の生地自体は当業者によく知られており詳細な説明は省略する。また、このような生地については、特許文献１〜６を参照することができる。
【００３２】
各シート体は可撓性シートであり、繊維製のシート体であれば、この条件を満たすものと考えられる。最もシンプルなシート体は平面であるが、繊維製のシートは、実質的に平面であっても、通常の状態で、皺や癖が付いたり、撓んだりしていると考えられる。また、シート状インテリア用品の用途によっては、各シート体に折り畳み可能な折り返し線が備わっていてもよい。
【００３３】
典型的な態様では、各シート体は同形・同寸であり、同じ位置に同一の図柄が形成されている。１つの態様では、図柄は転写プリントによって形成されるが、図柄の形成手段は限定されず、公知の印刷手段を用いることができる。１つの態様では、シート体の下地の色が同色ないし同色系であるが、異なる色であってもよい。図柄の種類は限定されず、絵画、写真、デザイン画等が例示される。
【００３４】
図８〜図１０に第１シート体、第２シート体、第３シート体を例示する。第１シート体、第２シート体、第３シート体は、同形・同寸の布であり、同じ位置に同一の図柄が形成されている。第１シート体、第２シート体は半透明の薄布（第３シート体よりも薄理生地からなる）であり、第１シート体の面部を透して、第２シート体の面部の図柄、第３シート体の面部の図柄が観察可能となっている。
【００３５】
シート状のインテリア用品としては、タペストリー、壁掛け、壁紙、間仕切り（パーテーション）、カーテン、のれん、絵のぼり、旗等を例示することができる。より具体的には、本発明に係るシート状のインテリア用品は、新しい感覚のタペストリーとして壁面のインテリアとして、玄関ロビーなどの吹き抜けにおけるインテリアとして、広い空間のおしゃれなパーテーションとして、透け感のある立体的で上品なカーテンとして、レストラン、カフェなどのテーブルの間仕切りとして、用いられ得るものである。
【符号の説明】
【００３６】
１  第１シート体
１０  面部
１１  図柄
２  第２シート体
２０  面部
２１  図柄
３  第３シート体
３０  面部
３１  第３シート体
【図２】
2015110284.tif 000003
【図３】
2015110284.tif 000004
【図４】
2015110284.tif 000005
【図５】
2015110284.tif 000006
【図６】
2015110284.tif 000007
【図７】
2015110284.tif 000008
【図１】
2015110284.tif 000009
【図８】
2015110284.tif 000010
【図９】
2015110284.tif 000011
【図１０】
2015110284.tif 000012